【手続補正書】
【提出日】令和2年10月30日(2020.10.30)
【手続補正１】
【補正対象書類名】明細書
【補正対象項目名】００６０
【補正方法】変更
【補正の内容】
【００６０】
本発明について、その例示的な実施形態を参照しながら具体的に図示および説明を行ったが、当業者は、添付の請求の範囲に含まれる本発明の範囲から逸脱することなく、本発明において形状および細部に様々な変更を施すことができるということを理解されたい。
なお、本発明は、実施の態様として以下の内容を含む。
［態様１］
筐体と、
筐体天井の温風ポートを介して前記筐体内から温かい空気を受け取り、前記温かい空気を冷却して冷却された空気を生成し、前記筐体天井の冷風ポートを介して前記筐体に前記冷却された空気を供給するように構成された空気冷却システムと、
前記筐体内に配置された１つ以上のラックと、
を備え、
各ラックは、
（ｉ）前記ラックに設置された放熱部品スタックと、
（ｉｉ）前記ラックの後面開口部を覆うことで、前記ラックの各前記部品の後部に沿って空気チャネルを形成する空気プレナムと、
（ｉｉｉ）前記ラックの底部に配置された送風装置であって、前記ラックの外部から空気を吸引し、前記空気プレナムへと前記空気を送ることで、前記空気プレナムを加圧する送風装置と、を有し、
（ｉｖ）前記放熱部品スタックは、加圧された前記空気プレナムから前記放熱部品の内部またはその周囲を通り、前記部品の前方の前記ラックの外部へと空気流を案内するように構成されており、
前記放熱部品スタックは、各前記部品の前記後部にある加圧された前記空気プレナムから各前記部品の前部への空気流を促進するように構成されている、
部品冷却用のシステム。
［態様２］
態様１に記載のシステムにおいて、前記放熱部品スタックは、内部を通る空気流路を有することによって前記空気流を促進するように構成された部品を含むシステム。
［態様３］
態様２に記載のシステムにおいて、前記放熱部品の第１の側には、前記部品の前記後部の開口部が設けられており、前記部品内の１つ以上のチャネルは、前記部品の前記第１の側から前記部品の第２の側へ、かつ前記部品の前記後部から前記部品の前記前部へ、前記部品の内部を通って前記空気流路を案内するように構成されているシステム。
［態様４］
態様１に記載のシステムにおいて、前記放熱部品スタックは、隣接する部品の対の間に空気流路を有することによって前記空気流を促進するように構成されているシステム。
［態様５］
態様１に記載のシステムにおいて、前記送風装置は、可変速度ファンであるシステム。
［態様６］
態様１に記載のシステムにおいて、前記１つ以上のラックのそれぞれについて、前記送風装置は、前記空気流を促進するために前記ラックに設けられた唯一の能動的な部品であるシステム。
［態様７］
態様１に記載のシステムにおいて、前記部品スタックは、少なくとも３つのバッテリモジュール部品を含むスタックを備えるシステム。
［態様８］
態様７に記載のシステムにおいて、前記部品スタックは、バッテリ管理モジュール部品を含むシステム。
［態様９］
態様１に記載のシステムにおいて、前記空気冷却システムは、前記筐体の頂部かつその外側に取り付けられているシステム。
［態様１０］
態様１に記載のシステムにおいて、前記筐体内で前記冷風ポートに取り付けられ、かつ前記冷風ポートから前記筐体の床へと延びる冷風ダクトをさらに備え、前記冷風ダクトは、前記筐体の前記床の上方かつ前記１つ以上のラックの前面開口部の側に設けられた出口を有するシステム。
［態様１１］
態様１０に記載のシステムにおいて、前記出口は、前記床から前記天井までの距離の４０％から６０％の範囲内で前記床の上方に設けられているシステム。
［態様１２］
態様１０に記載のシステムにおいて、前記冷風ダクトは、可撓性材料から形成されているシステム。
［態様１３］
態様１に記載のシステムにおいて、前記１つ以上のラックは、前記筐体の第１の側に沿って並べて配置された第１のラックの列と、前記筐体の第２の側に沿って並べて配置された第２のラックの列とを有し、各前記ラックの前記空気プレナムは、各筐体側部にそれぞれ隣接しているシステム。
［態様１４］
態様１に記載のシステムにおいて、前記１つ以上のラックは、第１のラックの列と、第２のラックの列とを有し、前記第１のラックの列および前記第２のラックの列は、前記第１の列の各ラックの前記空気プレナムが、前記第２のラックの列のうちの１つのラックの空気プレナムとそれぞれ隣接するように背面合わせで配置されているシステム。
［態様１５］
放熱部品のラックの冷却方法であって、
空気を冷却することと、
前記ラックの前方に形成された空間領域に前記空間領域の上方から前記空気を案内することと、
前記ラックの底部分に配置された送風装置を用いて、前記ラックの前方に形成された前記空間領域から前記ラックの後部のプレナムへと冷たい空気を移動させて、前記プレナムを加圧することと、
前記プレナムから前記ラック内の前記放熱部品の周囲またはその内部を通して前記ラックの前方の前記空間領域へと、前記プレナムの圧力のみによって空気を流すことと、
前記ラックの前方に形成された前記空間領域の上部から温められた空気を取り込み、前記温められた空気を冷却することとを含む方法。
［態様１６］
態様１４に記載の方法において、前記部品の後部の開口部から前記部品の前部における開口部まで各前記放熱部品の内部を通るように形成された通路に、前記プレナムから空気を流すことをさらに含む方法。
［態様１７］
態様１４に記載の方法において、隣接する放熱部品の間における、前記隣接する部品の後部から前記隣接する部品の前部までの空間に、前記プレナムから空気を流すことをさらに含む方法。
［態様１８］
態様１７に記載の方法において、前記空気は、前記ラックおよび前記空間領域を囲む筐体の頂部に配置された空気冷却システムによって冷却される方法。
［態様１９］
態様１７に記載の方法において、前記冷風ポートから前記筐体の床に向かって延びる冷風ダクトであって、前記１つ以上のラックの前面開口部の側において前記床の上方に出口が設けられた冷風ダクトを介して前記筐体に冷却された空気を供給することをさらに含む方法。
［態様２０］
態様１７に記載の方法において、前記筐体の第１の側に沿って第１のラックの列を配置することと、前記筐体の第２の側に沿って第２のラックの列を配置することとをさらに含み、各前記ラックの列は、それぞれの筐体側部に隣接する空気プレナムと、他のラックの前面開口部に面する側に前面開口部とを有する方法。
［態様２１］
態様２０に記載の方法において、前記第１のラックの列と前記第２のラックの列との間において前記筐体に前記冷却された空気を供給することをさらに含む方法。
［態様２２］
複数の放熱部品の冷却方法であって、
１つ以上のラック内で、前記複数の部品をスタック構造に配置することであって、各ラックに空気プレナムが取り付けられており、前記空気プレナムは、前記ラックの後面開口部を覆うことで、前記ラックの各前記部品の外側表面の周囲に空気チャネルを形成している、ことと、
前記１つ以上のラックを筐体内に収容することと、
天井の温風ポートを介して前記筐体内から温かい空気を受け取り、前記温かい空気を冷却して冷却された空気を生成し、前記天井の冷風ポートを介して前記筐体内に前記冷却された空気を提供することと、
前記ラックの外部かつ底部における位置から前記冷却された空気を吸引し、
前記空気プレナムに前記冷却された空気を送って前記空気プレナムを加圧することと、を含む方法。
［態様２３］
態様２２に記載の方法において、前記放熱部品の後部の開口部から前記部品の前部の開口部まで各部品を通るように形成された通路に、前記プレナムから空気を流すことをさらに含む方法。
［態様２４］
態様２２に記載の方法において、隣接する部品の間における、前記隣接する部品の後部から前記隣接する部品の前部までの空間に、前記プレナムから空気を流すことをさらに含む方法。
［態様２５］
態様２２に記載の方法において、冷風ダクトが、前記冷風ポートから前記筐体の床に向かって延びており、前記冷風ダクトは、前記１つ以上のラックの前面開口部の側において前記床の上方に設けられた出口を有している方法。
［態様２６］
ラックであって、（ｉ）当該ラックに取り付けられた放熱部品スタックと、（ｉｉ）前記ラックの後部に設けられて、前記ラックの各前記部品の後部に沿って空気チャネルを形成している空気プレナムと、（ｉｉｉ）前記ラックの底部に配置された送風装置であって、前記ラックの外部から空気を吸引し、前記空気プレナムへと前記空気を送ることで、前記空気プレナムを加圧するように構成された送風装置とを有するラックを備え、
前記部品スタックは、各前記部品の前記後部の加圧された前記空気プレナムから各前記部品の前部への空気流を促進するように構成されている、部品冷却用のシステム。
［態様２７］
態様２６に記載の方法において、前記放熱部品スタックは、その内部を通る空気流路を有することによって前記空気流を促進するように構成された部品を含む方法。
［態様２８］
態様２６に記載の方法において、前記放熱部品の第１の側には、前記部品の前記後部の開口部が設けられており、前記部品内の１つ以上のチャネルは、前記部品の前記第１の側から前記部品の第２の側へと、そして前記部品の前記後部から前記部品の前記前部へと、前記部品の中を通って前記空気流路を案内するように構成されている方法。
［態様２９］
筐体と、
筐体天井の温風ポートを介して前記筐体内から温かい空気を受け取り、前記温かい空気を冷却して冷却された空気を生成し、前記筐体の床に向かって前記筐体内へと延びる冷風ダクトを介して前記筐体に前記冷却された空気を供給するように構成された空気冷却システムであって、前記冷風ダクトは、前記床から前記天井までの距離の４０％から６０％の範囲内で前記筐体の床の上方に設けられた出口を有する、空気冷却システムと、
前記筐体内に配置されたラックであって、前記筐体の第１の側に沿って配置された第１のラックの列と、前記筐体の第２の側に沿って配置された第２のラックの列とを有し、各ラックが、筐体側部にそれぞれ隣接した空気プレナムと、空間領域に面する前部とを有する、ラックと、
を備え、
各ラックは、
（ｉ）前記ラックに設置されたスタック配列の少なくとも３つのバッテリ部品と、
（ｉｉ）前記ラックの後面開口部に設けられて、前記ラック内の各前記バッテリ部品の後部に沿って空気チャネルを形成している空気プレナムと、
（ｉｉｉ）前記ラックの底部に配置された送風装置であって、前記空間領域から空気を吸引し、前記空気プレナムへと前記空気を送ることで、前記空気プレナムを加圧するように構成された送風装置と、を有し、
前記スタック配列のバッテリ部品は、各前記部品の前記後部の加圧された前記空気プレナムから各前記部品の前部へと、そしてラックの列の間の前記空間領域への空気流を促進するように構成されている、
バッテリ部品冷却用のシステム。